(57)【要約】      （修正有）【課題】入力部からユーザが切り替え操作を行わなずに、表示装置で表示するコンテンツの切り替えを容易に行えるコンテンツ制御装置、コンテンツ制御方法及びプログラムを提供する。【解決手段】コンテンツ制御装置１は、ＣＰＵ１１、表示部１２、記憶部１３、通信部１４、近距離無線通信部１５等を備えて構成され、ＣＰＵ１１は、近距離無線通信部１５からの情報に基づいて自装置の位置を検知し、検知された自装置の位置に基づいて、外部のデジタルサイネージ装置で表示するコンテンツを切り替える。【選択図】図２
2018045061.tif 000002
【特許請求の範囲】
【請求項１】
外部の表示装置に表示するコンテンツを制御するコンテンツ制御装置であって、
自装置の位置を検知する検知手段と、
前記検知手段により検知された自装置の位置に基づいて、前記表示装置で表示するコンテンツを切り替える制御手段と、
を備えるコンテンツ制御装置。
【請求項２】
前記制御手段は、前記表示装置で表示するコンテンツを前記検知手段により検知された自装置の位置に応じた動作モードのコンテンツに切り替える請求項１に記載のコンテンツ制御装置。
【請求項３】
前記制御手段は、前記検知手段により検知された自装置の位置が前記表示装置の正面側であるか又は背面側であるかに基づいて、前記表示装置で表示するコンテンツを切り替える請求項２に記載のコンテンツ制御装置。
【請求項４】
前記制御手段は、自装置が前記表示装置の正面側に位置している場合は、前記表示装置で表示するコンテンツを顧客の操作を受け付ける顧客モードのコンテンツに切り替える請求項３に記載のコンテンツ制御装置。
【請求項５】
前記制御手段は、自装置が前記表示装置の背面側に位置している場合は、前記表示装置で表示するコンテンツを店員の操作を受け付ける店員モードのコンテンツに切り替える請求項３又は４に記載のコンテンツ制御装置。
【請求項６】
表示手段を備え、
前記制御手段は、前記表示手段に表示する操作画面を前記検知手段により検知された自装置の位置に応じた動作モードの操作画面に切り替える請求項２〜５の何れか一項に記載のコンテンツ制御装置。
【請求項７】
前記検知手段は、前記外部の表示装置に対する自装置の位置を検知する請求項１〜６の何れか一項に記載のコンテンツ制御装置。
【請求項８】
外部の表示装置に表示するコンテンツを制御するコンテンツ制御装置におけるコンテンツ制御方法であって、
自装置の位置を検知する検知工程と、
前記検知工程において検知された自装置の位置に基づいて、前記表示装置で表示するコンテンツを切り替える工程と、
を含むコンテンツ制御方法。
【請求項９】
外部の表示装置に表示するコンテンツを制御するコンテンツ制御装置に用いられるコンピュータを、
自装置の位置を検知する検知手段、
前記検知手段により検知された自装置の位置に基づいて、前記表示装置で表示するコンテンツを切り替える制御手段、
として機能させるためのプログラム。
【発明の詳細な説明】
【技術分野】
【０００１】
本発明は、コンテンツ制御装置、コンテンツ制御方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
特許文献１に記載の映像出力装置は、一方的な映像を出力するだけであり、出力するコンテンツを切り替えることについては記載がない。一般的に、表示装置に表示するコンテンツを切り替える場合には、入力部からユーザが切り替え操作を行わなければならず、煩雑で時間がかかる。
【０００５】
本発明の課題は、表示装置で表示するコンテンツの切り替えを容易に行えるようにすることである。
【課題を解決するための手段】
【０００６】
上記課題を解決するため、請求項１に記載の発明は、
外部の表示装置に表示するコンテンツを制御するコンテンツ制御装置であって、
自装置の位置を検知する検知手段と、
前記検知手段により検知された自装置の位置に基づいて、前記表示装置で表示するコンテンツを切り替える制御手段と、
を備える。
【発明の効果】
【０００７】
本発明によれば、表示装置で表示するコンテンツの切り替えを容易に行うことが可能となる。
【図面の簡単な説明】
【０００８】
【図１】本実施形態におけるコンテンツ表示システムの全体構成を示す図である。
【図２】図１のコンテンツ制御装置の機能的構成を示すブロック図である。
【図３】（ａ）は、顧客モードにおける各装置の配置位置を示す図、（ｂ）は、店員モードにおける各装置の配置位置を示す図である。
【図４】図１のデジタルサイネージ装置の機能的構成を示すブロック図である。
【図５】図２のＣＰＵにより実行されるコンテンツ制御処理を示すフローチャートである。
【発明を実施するための形態】
【０００９】
以下、添付図面を参照して本発明に係る実施形態を詳細に説明する。なお、本発明は、図示例に限定されるものではない。
【００１０】
［コンテンツ表示システム１００の構成］
図１は、本発明の実施形態におけるコンテンツ表示システム１００の全体構成を示す図である。コンテンツ表示システム１００は、例えば、店舗等に設置されたシステムであり、図１に示すように、コンテンツ制御装置１とデジタルサイネージ装置２とを備えて構成されている。
【００１１】
［コンテンツ制御装置１の構成］
コンテンツ制御装置１は、外部の（別体の）デジタルサイネージ装置２に表示するコンテンツを制御するとともに、ユーザ操作を受け付ける操作画面を自装置の表示部１２に表示する装置である。
【００１２】
図２は、本実施形態におけるコンテンツ制御装置１の主制御構成を示すブロック図である。図２に示すように、コンテンツ制御装置１は、ＣＰＵ（Central Processing Unit）１１、表示部１２、記憶部１３、通信部１４、近距離無線通信部１５等を備えて構成されている。
【００１３】
ＣＰＵ１１は、記憶部１３のプログラム記憶部１３１に記憶されているプログラムとの協働により、各種処理を実行する。例えば、ＣＰＵ１１は、プログラム記憶部１３１に記憶されているプログラムとの協働により、後述するコンテンツ制御処理を実行し、自装置及びデジタルサイネージ装置２の動作モードを切り替えて、デジタルサイネージ装置２に動作モードに対応するコンテンツを表示させる。即ち、ＣＰＵ１１は、制御手段として機能する。また、ＣＰＵ１１は、近距離無線通信部１５との協働により検知手段として機能する。
【００１４】
ここで、本実施形態において、自装置及びデジタルサイネージ装置２の動作モードには、顧客モードと店員モードがある。顧客モードは、顧客の操作を受け付け可能なコンテンツ（顧客モードのコンテンツ）を表示部２３に表示するモードである。顧客モードでは、例えば、顧客が商品を選択するための選択用コンテンツを表示して、そのコンテンツに応じて選択された商品の商品説明のコンテンツを表示する。或いは顧客の操作に応じてくじ引きを実施するコンテンツを表示してもよい。店員モードは、店員による操作を受け付けるコンテンツ（店員モードのコンテンツ）を表示するモードである。店員モードでは、例えば、店員が口頭で商品を説明しながら操作して、その操作に応じた商品のデモンストレーションを示すコンテンツを表示する。或いは、「少々お待ちください」のメッセージ等の待ち受けコンテンツを表示しながらデジタルサイネージ装置２に対する各種設定操作を受け付けてもよい。
【００１５】
表示部１２は、例えば、コンテンツ制御装置１の上面側に設けられている（図１参照）。表示部１２は、ＬＣＤ（Liquid Crystal  Display）により構成されており、ＣＰＵ１１から入力される表示信号の指示に従って、各種画面を表示する。また、表示部１２の表面は、透明電極を格子状に配置したタッチパネルで覆われており、手指やタッチペン等で押下された位置を検出し、その位置情報を操作情報としてＣＰＵ１１に出力する。
【００１６】
ここで、表示部１２に表示される内容は、デジタルサイネージ装置２の動作モードによって異なる。例えば、顧客モードでは、表示部２３に表示されている顧客モードのコンテンツに応じて顧客が操作を行うための操作画面が表示される。店員モードでは、表示部２３に表示されている店員モードのコンテンツに応じて店員が操作を行うための操作画面が表示される。
【００１７】
記憶部１３は、ＨＤＤ（Hard Disk Drive）や不揮発性の半導体メモリ等により構成される。記憶部１３には、図２に示すように、プログラム記憶部１３１、コンテンツ記憶部１３２が設けられている。
【００１８】
プログラム記憶部１３１には、ＣＰＵ１１で実行されるシステムプログラムや各種処理プログラム、これらのプログラムの実行に必要なデータ等が記憶されている。
【００１９】
コンテンツ記憶部１３２には、デジタルサイネージ装置２の表示部２３に表示される顧客モードのコンテンツのコンテンツ情報（コンテンツデータ）と、店員モードのコンテンツのコンテンツ情報とが記憶されている。コンテンツ情報は、例えば、複数のフレーム画像により構成される画像データ及び各フレーム画像に対応する音声データにより構成されている。また、コンテンツ記憶部１３２には、各コンテンツのコンテンツ情報に対応付けて、そのコンテンツを表示する際に併せて表示部１２に表示する操作画面の画面情報が記憶されている。
【００２０】
通信部１４は、デジタルサイネージ装置２とのデータ通信を行うためのインターフェースである。なお、コンテンツ制御装置１とデジタルサイネージ装置２の通信は、有線であっても無線であってもよい。
【００２１】
近距離無線通信部１５は、コンテンツ制御装置１の下面側に設けられており、無線アンテナやＮＦＣ（Near Field Communication）チップを有し、ＮＦＣによる無線通信機能を備える機器（ＮＦＣ機器）と非接触通信を行う。
【００２２】
図３（ｂ）に示すように、本実施形態において、デジタルサイネージ装置２の正面側（表示部２３の正面側）には、所定の識別番号（第１番号と呼ぶ）が記載されたＮＦＣタグ３１が設けられている。このＮＦＣタグ３１の位置は、顧客モードにおけるコンテンツ制御装置１の配置位置である。また、図３（ａ）に示すように、デジタルサイネージ装置２の背面側には、ＮＦＣタグ３１とは異なる所定の識別番号（第２番号と呼ぶ）が記載されたＮＦＣタグ３２が設けられている。このＮＦＣタグ３２の位置は、店員モードにおけるコンテンツ制御装置１の配置位置である。
【００２３】
近距離無線通信部１５は、顧客モードにおける配置位置にコンテンツ制御装置１が配置されると、ＮＦＣタグ３１から第１番号を読み取ってＣＰＵ１１に出力する。また、近距離無線通信部１５は、店員モードにおける配置位置にコンテンツ制御装置１が配置されると、ＮＦＣタグ３２から第２番号を読み取ってＣＰＵ１１に出力する。ＣＰＵ１１は、近距離無線通信部１５から出力された識別番号に基づいて、コンテンツ制御装置１の位置を検知する。
【００２４】
［デジタルサイネージ装置２の構成］
デジタルサイネージ装置２は、コンテンツ制御装置１から送信されたコンテンツ情報に基づいて、コンテンツを表示する表示装置である。
【００２５】
図４は、本実施形態におけるデジタルサイネージ装置２の主制御構成を示すブロック図である。図４に示すように、デジタルサイネージ装置２は、ＣＰＵ２１、プロジェクタ２２、表示部２３、音声出力部２４、記憶部２５、通信部２６等を備えて構成されている。
【００２６】
ＣＰＵ２１は、記憶部２５に記憶されているプログラムとの協働により、各種処理を実行する。例えば、ＣＰＵ２１は、記憶部２５に記憶されているプログラムとの協働により、コンテンツ制御装置１から送信されたコンテンツ情報に基づいてプロジェクタ２２により表示部２３にコンテンツを表示させたり、音声出力部２４にコンテンツの音声を出力させたりする。
【００２７】
プロジェクタ２２は、ＣＰＵ２１から出力されたコンテンツの画像データを映像光に変換して表示部２３に向けて照射する投影装置である。プロジェクタ２２は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２８】
表示部２３は、プロジェクタ２２から照射されたコンテンツの映像光の照射方向に対して略直交するように配置された、例えばアクリル板などの一枚の透光板に、フィルム状のフレネルレンズが積層された背面投影用のフィルムスクリーンが貼付されて構成されている。表示部２３は、プロジェクタ２２から照射された映像光を背面で受けて前面に表示する。
【００２９】
音声出力部２４は、スピーカ等により構成され、コンテンツ制御装置１から送信されたコンテンツ情報の音声データに基づいて音声を出力する。
【００３０】
記憶部２５は、ＨＤＤ（Hard Disk Drive）や不揮発性の半導体メモリ等により構成される。記憶部２５には、ＣＰＵ２１で実行されるシステムプログラムや各種処理プログラム、これらのプログラムの実行に必要なデータ等が記憶されている。また、記憶部２５は、コンテンツ制御装置１から送信されるコンテンツ情報が一時的に記憶される。
【００３１】
通信部２６は、コンテンツ制御装置１とのデータ通信を行うためのインターフェースである。
【００３２】
［コンテンツ表示システム１００の動作］
次に、本実施形態におけるコンテンツ表示システム１００の動作について説明する。
図５は、コンテンツ制御装置１において実行されるコンテンツ制御処理のフローチャートである。コンテンツ制御処理は、コンテンツ制御装置１の電源がＯＮとなった際に、ＣＰＵ１１とプログラム記憶部１３１に記憶されているプログラムとの協働により実行される。
【００３３】
まず、ＣＰＵ１１は、近距離無線通信部１５により取得される識別番号に基づいて、自装置の位置がデジタルサイネージ装置２の正面側であるか背面側であるかを判断する（ステップＳ１）。
【００３４】
自装置の位置がデジタルサイネージ装置２の正面側であると判断した場合（ステップＳ１；正面側）、ＣＰＵ１１は、コンテンツ記憶部１３２から顧客モードのコンテンツのコンテンツ情報を読み出して通信部１４によりデジタルサイネージ装置２に送信し、顧客モードのコンテンツを表示部２３に表示させる（ステップＳ２）。
デジタルサイネージ装置２においては、通信部２６によりコンテンツ制御装置１からコンテンツ情報を受信すると、受信した顧客モードのコンテンツ情報の画像データに基づいて、表示部２３に顧客モードのコンテンツを表示するとともに、音声出力部２４によりコンテンツ情報の音声データに基づく音声を出力する。
【００３５】
また、ＣＰＵ１１は、表示されている顧客モードのコンテンツに応じた操作画面の画面情報をコンテンツ記憶部１３２から読み出して表示部１２に表示させ（ステップＳ３）、ステップＳ１に戻る。なお、表示部１２に表示された操作画面からユーザ操作が入力された場合、ＣＰＵ１１は、ユーザ操作に応じた処理を実行する。
【００３６】
自装置の位置がデジタルサイネージ装置２の表示部２３の背面側であると判断した場合（ステップＳ１；背面側）、ＣＰＵ１１は、コンテンツ記憶部１３２から店員モードのコンテンツのコンテンツ情報を読み出して通信部１４によりデジタルサイネージ装置２に送信し、店員モードのコンテンツを表示部２３に表示させる（ステップＳ４）。
デジタルサイネージ装置２においては、通信部２６によりコンテンツ制御装置１から店員モードのコンテンツ情報を受信すると、受信したコンテンツ情報の画像データに基づいて、表示部２３に店員モードのコンテンツを表示するとともに、音声出力部２４によりコンテンツ情報の音声データに基づく音声を出力する。
【００３７】
また、ＣＰＵ１１は、表示されている店員モードのコンテンツに応じた操作画面の画面情報をコンテンツ記憶部１３２から読み出して表示部１２に表示させ（ステップＳ５）、ステップＳ１に戻る。なお、表示部１２に表示された操作画面からユーザ操作が入力された場合、ＣＰＵ１１は、ユーザ操作に応じた処理を実行する。
【００３８】
ＣＰＵ１１は、電源がＯＮの間、ステップＳ１〜ステップＳ５の処理を繰り返し実行する。
【００３９】
以上説明したように、コンテンツ制御装置１によれば、ＣＰＵ１１は、近距離無線通信部１５からの情報に基づいて自装置の位置を検知し、検知された自装置の位置に基づいて、外部のデジタルサイネージ装置２で表示するコンテンツを切り替える。また、デジタルサイネージ装置２に対する自装置の位置に基づいて、自装置の操作画面を切り替える。
従って、自装置の位置を変えるだけで、デジタルサイネージ装置２で表示するコンテンツを容易に切り替えることが可能となる。
【００４０】
例えば、ＣＰＵ１１は、デジタルサイネージ装置２で表示するコンテンツを自装置の位置に応じた動作モードのコンテンツに切り替える。従って、自装置の位置を変えるだけで、デジタルサイネージ装置２で表示するコンテンツの動作モードを切り替えることができる。
【００４１】
例えば、ＣＰＵ１１は、自装置がデジタルサイネージ装置２の正面側に位置している場合は、デジタルサイネージ装置２で表示するコンテンツを顧客の操作を受け付ける顧客モードのコンテンツに切り替える。従って、コンテンツ制御装置１を顧客側に配置するだけで、顧客モードのコンテンツに切り替えることが可能となる。
【００４２】
また、例えば、ＣＰＵ１１は、自装置がデジタルサイネージ装置２の背面側に位置している場合は、デジタルサイネージ装置２で表示するコンテンツを店員の操作を受け付ける店員モードのコンテンツに切り替える。従って、コンテンツ制御装置１を店員側に配置するだけで、店員モードのコンテンツに切り替えることが可能となる。
【００４３】
また、ＣＰＵ１１は、表示部１２に表示する操作画面を自装置の位置に応じた動作モードの操作画面に切り替える。従って、自装置がデジタルサイネージ装置２の正面側、即ち、顧客側に位置しているときには自動的に顧客が操作可能な操作画面を表示し、自装置がデジタルサイネージ装置２の背面側、即ち、店員側（顧客が操作不可能な位置）に位置しているときには自動的に店員が操作可能な操作画面を表示することができる。
【００４４】
なお、上記実施形態における記述内容は、本発明に係るコンテンツ表示システムの好適な一例であり、これに限定されるものではない。
【００４５】
例えば、上記実施形態では、近距離無線通信部１５を用いてコンテンツ制御装置１の位置を検知することとしたが、加速度センサやジャイロセンサ等のセンサを用いて検知してもよい。例えば、コンテンツ制御装置１が加速度センサやジャイロセンサ等のセンサを備える構成とし、コンテンツ制御装置１が所定の位置に設置されているときには、デジタルサイネージ装置２に顧客モードのコンテンツを表示するとともに表示部１２に顧客モード用の操作画面を表示し、コンテンツ制御装置１が持ち上げられ、センサにより所定の位置から離れたことが検知された場合、デジタルサイネージ装置２の表示を店員モードのコンテンツに切り替えるとともに表示部１２に店員モード用の操作画面を表示することとしてもよい。
【００４６】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００４７】
その他、コンテンツ表示システムを構成する各装置の細部構成及び細部動作に関しても、発明の趣旨を逸脱することのない範囲で適宜変更可能である。
【００４８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
外部の表示装置に表示するコンテンツを制御するコンテンツ制御装置であって、
自装置の位置を検知する検知手段と、
前記検知手段により検知された自装置の位置に基づいて、前記表示装置で表示するコンテンツを切り替える制御手段と、
を備えるコンテンツ制御装置。
＜請求項２＞
前記制御手段は、前記表示装置で表示するコンテンツを前記検知手段により検知された自装置の位置に応じた動作モードのコンテンツに切り替える請求項１に記載のコンテンツ制御装置。
＜請求項３＞
前記制御手段は、前記検知手段により検知された自装置の位置が前記表示装置の正面側であるか又は背面側であるかに基づいて、前記表示装置で表示するコンテンツを切り替える請求項２に記載のコンテンツ制御装置。
＜請求項４＞
前記制御手段は、自装置が前記表示装置の正面側に位置している場合は、前記表示装置で表示するコンテンツを顧客の操作を受け付ける顧客モードのコンテンツに切り替える請求項３に記載のコンテンツ制御装置。
＜請求項５＞
前記制御手段は、自装置が前記表示装置の背面側に位置している場合は、前記表示装置で表示するコンテンツを店員の操作を受け付ける店員モードのコンテンツに切り替える請求項３又は４に記載のコンテンツ制御装置。
＜請求項６＞
表示手段を備え、
前記制御手段は、前記表示手段に表示する操作画面を前記検知手段により検知された自装置の位置に応じた動作モードの操作画面に切り替える請求項２〜５の何れか一項に記載のコンテンツ制御装置。
＜請求項７＞
前記検知手段は、前記外部の表示装置に対する自装置の位置を検知する請求項１〜６の何れか一項に記載のコンテンツ制御装置。
＜請求項８＞
外部の表示装置に表示するコンテンツを制御するコンテンツ制御装置におけるコンテンツ制御方法であって、
自装置の位置を検知する検知工程と、
前記検知工程において検知された自装置の位置に基づいて、前記表示装置で表示するコンテンツを切り替える工程と、
を含むコンテンツ制御方法。
＜請求項９＞
外部の表示装置に表示するコンテンツを制御するコンテンツ制御装置に用いられるコンピュータを、
自装置の位置を検知する検知手段、
前記検知手段により検知された自装置の位置に基づいて、前記表示装置で表示するコンテンツを切り替える制御手段、
として機能させるためのプログラム。
【符号の説明】
【００４９】
１  コンテンツ制御装置
１１  ＣＰＵ
１２  表示部
１３  記憶部
１３１  プログラム記憶部
１３２  コンテンツ記憶部
１４  通信部
１５  近距離無線通信部
２  デジタルサイネージ装置
２１  ＣＰＵ
２２  プロジェクタ
２３  表示部
２４  音声出力部
２５  記憶部
２６  通信部
【図１】
2018045061.tif 000003
【図２】
2018045061.tif 000004
【図３】
2018045061.tif 000005
【図４】
2018045061.tif 000006
【図５】
2018045061.tif 000007